(57)【要約】【課題】一般家庭の室内において、手軽に音響効果を高めることができるとともに、室内インテリアとしても機能する吸音インテリア体を提供する【解決手段】パンチングメタルを円筒状に形成してなる円筒体１１と、該円筒体１１の内周面に沿って層状に設けられた吸音材１２とからなる吸音ユニット１を、上下に複数個組み合わせてなる吸音インテリア体Ａ。好ましくは、上記複数個の吸音ユニット１の上部第１段に照明装置９が内設される。【選択図】図１
2005227631.tif 000002
【特許請求の範囲】
【請求項１】
パンチングメタルを円筒状に形成してなる円筒体と、該円筒体の内周面に沿って層状に設けられた吸音材とからなる吸音ユニットを、上下に複数個組み合わせてなる吸音インテリア体。
【請求項２】
上記複数個の吸音ユニットの上部第１段に照明装置が内設された請求項１に記載の吸音インテリア体。
【請求項３】
上記吸音材が軟質繊維系吸音材をマット状に形成してなる請求項１に記載の吸音インテリア体。
【請求項４】
上記複数個の吸音ユニットのうちの任意吸音ユニットの吸音性を異ならせた請求項１に記載の吸音インテリア体。
【発明の詳細な説明】
【技術分野】
【０００１】
本発明は、吸音インテリア体に関する。さらに詳しくは、一般家庭の部屋の中、とくに、部屋のコーナー部に置かれて吸音効果を発揮するとともに、インテリアとしても機能する吸音インテリア体に関する。
【背景技術】
【０００２】
従来、リスニングルーム、音楽練習室、録音スタジオ等の音響室にあって、残響等の音響効果を高めるとともに、反響等の音響障害を取り除くために種々の吸音体が提案されている。
【特許文献１】特開平１１−１３３９７９号公報（第１−３頁、第２、３図）
【特許文献２】特開平８−３０２８５０号公報（第１−４頁、第１図）
【特許文献３】実開平３−８７２２０号公報（第１頁、第１〜３図）
【発明の開示】
【発明が解決しようとする課題】
【０００３】
しかしながら、室内でピアノを弾いたり、音楽を聞く等する場合、上記先行技術記載の吸音体を一般家庭に簡単に適用できるとはいい難く、手軽に室内の音響効果を高めるための吸音体が求められている。本発明は上記問題を解決して、一般家庭の室内において音楽を楽しむ場合、音質を向上させることができるとともに、室内インテリアとしても機能する吸音インテリア体を提供することを、その課題とする。
【課題を解決するための手段】
【０００４】
上記課題を解決するために、本発明においては、つぎのような技術的手段を講じている。すなわち、本発明によれば、パンチングメタルを円筒状に形成してなる円筒体と、該円筒体の内周面に沿って層状に設けられた吸音材とからなる吸音ユニットを、上下に複数個組み合わせてなる吸音インテリア体が提供される。上記パンチングメタルとは、多数の穿孔を有する金属の薄板を意味し、通常、アルミニウムの薄板に多数の孔を明けたものが用いられる。
【０００５】
上記吸音材は、軟質繊維系吸音材をマット状に形成してなるとともに、上記円筒体の内周面に沿って設けられることが好ましい。軟質繊維系吸音材としては、有機軟質繊維系材料、無機軟質繊維系材料等があげられ、とくに限定されるものではないが、火災に対する安全面から不燃性の無機軟質繊維系材料が好適に用いられる。好ましくは、グラスウール、ロックウール等が用いられる。
【０００６】
上記複数個の吸音ユニットの上部第一段に照明装置が設けられることが好ましい。また、上記複数個の吸音ユニットが、吸音材の厚みを変えて吸音効果を異ならせた吸音ユニットを組み込んでなることが好ましい。
【発明の効果】
【０００７】
請求項１に記載の発明は上記のとおりであり、とくに、複数個の吸音ユニットを、上下に組み合わせて構成されているため、一般家庭で、手軽に室内の音響効果を高められるとともに、室内インテリアとしても機能する吸音インテリア体を提供することができる。また、上記複数個の吸音ユニットの上部第１段に照明装置が内設されているため室内インテリアスタンドとしても用いることができる。
【０００８】
上記吸音材が軟質繊維系吸音材をマット状に形成してなるため、マットの厚みを変えることにより、簡単に音の吸収性を調整することができる。また、上記複数個の吸音ユニットの中の任意の部分に、吸音性を異ならせた吸音ユニットを組み込むことができるため、音源の高さに対応して吸音性を変えることが可能となり、効果的に音響効果を高めることができる。
【発明を実施するための最良の形態】
【０００９】
以下、本発明の実施形態について図面を参照して、詳細に説明する。図１（ａ）は、本発明にかかる吸音インテリア体Ａの第一実施形態を示す一部切欠き斜視図であり、図１（ｂ）はその縦断面図である。図１（ａ）、（ｂ）からよくわかるように、上記吸音インテリア体Ａは、２個の吸音ユニット１、２を上下に組み合わせてなるとともに、各吸音ユニット１、２は、それぞれ、アルミニウムの薄板に多数の孔を明けたパンチングメタルを円筒状に形成した円筒体１１、２１と、該円筒体１１、２１の内周に沿って層状に設けられた吸音材１２、２２とから構成されている。本実施形態においては、吸音材１２、２２としてグラスウールをマット状に形成したものが用いられる。
【００１０】
また、図１（ｂ）に示されているように、吸音インテリア体Ａの上部第１段目である吸音ユニット１の内部にはライト９が内設され、電源線９２は、吸音インテリア体Ａの内部を通り、基台部８を経て外部電源に接続される。ライト９の上方にはカバー９１が覆設されるとともに、カバー９１の上面には照明用の透孔９１１が複数個設けられている。
【００１１】
図２（ａ）は、３個の吸音ユニット１、３、４を上下に組み合わせてなる第二実施形態にかかる吸音インテリア体Ａを示す正面図であり、図２（ｂ）は、その分解縦断面図である。第二実施形態も上記と同様に、上部第１段目である吸音ユニット１の内部にはライト９が内設され、電源線９２は、吸音インテリア体Ａの内部を通り、基台部８を経て外部電源に接続される。３１及び４１は円筒体、３２及び４２は吸音材である。第二実施形態においては、上記第１段目の吸音ユニット１と２段目の吸音ユニット３との間、２段目の吸音ユニット３と第３段目の吸音ユニット４との間、および第３段目の吸音ユニット４と基台部８との間は接続手段Ｊによって接続されている。このように、接続手段Ｊを介在させることによって吸音インテリア体Ａのデザインにアクセントを付けることができ、装飾性に優れたものとなる。
【００１２】
図３（ａ）は、４個の吸音ユニット１、５、６、７を上下に組み合わせてなる第三実施形態にかかる吸音インテリア体Ａを示す正面図であり、図３（ｂ）は、その分解縦断面図である。第三実施形態も上記と同様に、上部第１段目の吸音ユニット１の内部にはライト９が内設され、電源線９２は、吸音インテリア体Ａの内部を通り、基台部８を経て外部電源に接続される。５１、６１、７１は円筒体、５２、６２、７２は吸音材である。図３（ａ）、（ｂ）からよくわかるように、第三実施形態においては、第３段目の吸音ユニット６に内設された吸音材６２の厚みを大きくして、第３段目近辺に届く音の吸収性を他の部分より向上させ、反響音の発生を抑えるようにされている。このように、床面に比較的近い部分における音響効果を向上させることによって、室内のソファに座ってビデオシアター等をよい音質で楽しむことができる。
【００１３】
図４は、図２に示した第二実施形態にかかる吸音インテリア体Ａを部屋のコーナー部に設置した状態を示す斜視図である。このように、音圧が上昇する部屋のコーナー部に本発明の吸音インテリア体Ａを設置することにより、壁面間の共鳴によって低音域の音に特別な音色が付いて聞こえる、いわゆるブーミングを抑制する効果があるとともに、室内インテリアスタンドとしても有効に利用できる。なお、上記実施形態においては４個の吸音ユニットを用いた場合について述べたが、これに限らずさらに多くの吸音ユニットを用いてもよい。また、吸音ユニットの高さ、直径等を変えて任意に組み合わせてもよく、吸音性を異ならせて組み合わせてもよい。このように本発明にかかる吸音ユニットは、種々設計変更可能であり、音源の高さに対応して、また、部屋の状況に合わせて、音響効果を高めることができる。
【図面の簡単な説明】
【００１４】
【図１】（ａ）本発明にかかる吸音インテリア体の第一実施形態を示す一部切欠き斜視図である。
【００１５】
（ｂ）本発明にかかる吸音インテリア体の第一実施形態を示す縦断面図である。
【図２】（ａ）本発明にかかる吸音インテリア体の第二実施形態を示す正面図である。  （ｂ）本発明にかかる吸音インテリア体の第二実施形態を示す分解縦断面図で  ある。
【図３】（ａ）本発明にかかる吸音インテリア体の第三実施形態を示す正面図である。  （ｂ）本発明にかかる吸音インテリア体の第三実施形態を示す分解縦断面図で  ある。
【図４】第二実施形態にかかる吸音インテリア体を部屋のコーナー部に設置した状態を示す斜視図である。
【符号の説明】
【００１６】
Ａ          本発明にかかる吸音インテリア体
１          吸音ユニット
１１        円筒体
１２        吸音材
２          吸音ユニット
２１        円筒体
２２        吸音材
３          吸音ユニット
３１        円筒体
３２        吸音材
４          吸音ユニット
４１        円筒体
４２        吸音材
５          吸音ユニット
５１        円筒体
５２        吸音材
６          吸音ユニット
６１        円筒体
６２        吸音材
７          吸音ユニット
７１        円筒体
７２        吸音材
８          基台部
９          ライト
９１        カバー
９１１      透孔
９２        電源線
Ｊ          接続手段
【図１】
2005227631.tif 000003
【図２】
2005227631.tif 000004
【図３】
2005227631.tif 000005
【図４】
2005227631.tif 000006